(57)【要約】【課題】ドクター刃の交換や調整の作業負担を軽減する。【解決手段】回転するロール３に付着した塗液を掻き取るドクター刃４２の支持構造である。ホルダー受部４５に取り付けられてドクター刃４２を挟持するホルダー４４を備える。ホルダー４４及びホルダー受部４５の少なくともいずれか一方の挟持面４４ａ，４５ａに、ドクター刃４２を吸着する仮止め部６０が設けられている。【選択図】図４
2018111230.tif 000002
【特許請求の範囲】
【請求項１】
回転するロールに鋭利な先端が接して当該ロールに付着した塗液を掻き取るドクター刃の支持構造であって、
前記ロールに沿って延びるように配置されるホルダー受部と、
前記ホルダー受部に取り付けられて、前記ドクター刃を当該ホルダー受部とで挟持するホルダーと、
を備え、
前記ホルダー及び前記ホルダー受部の少なくともいずれか一方の挟持面に、前記ドクター刃を吸着する仮止め部が設けられているドクター刃の支持構造。
【請求項２】
請求項１に記載のドクター刃の支持構造において、
前記仮止め部が、前記ホルダー受部が延びる方向の複数カ所に、互いに離れて設けられているドクター刃の支持構造。
【請求項３】
請求項２に記載のドクター刃の支持構造において、
前記仮止め部の各々の吸着力が、１〜１０Ｎの範囲内に設定されているドクター刃の支持構造。
【請求項４】
請求項１〜請求項３のいずれか１つに記載のドクター刃の支持構造において、
前記仮止め部が、磁石で構成されており、当該磁石の磁力で前記ドクター刃が吸着されるドクター刃の支持構造。
【請求項５】
請求項１〜請求項３のいずれか１つに記載のドクター刃の支持構造において、
前記仮止め部が、内部が減圧されるバキューム孔で構成されており、当該バキューム孔の吸引力で前記ドクター刃が吸着されるドクター刃の支持構造。
【請求項６】
請求項１〜請求項５のいずれか１つに記載のドクター刃の支持構造において、
前記ドクター刃の基端に接して当該ドクター刃を支持位置に位置決めする位置決め部を、更に備え、
前記仮止め部が、前記支持位置に位置した前記ドクター刃の基端部を吸着するように配置されているドクター刃の支持構造。
【請求項７】
請求項１〜請求項６のいずれか１つに記載のドクター刃の支持構造において、
前記ホルダー受部が、前記ロールに塗液を供給する密閉された液溜部を構成するチャンバー本体に設けられているドクター刃の支持構造。
【発明の詳細な説明】
【技術分野】
【０００１】
本発明は、グラビア印刷装置や塗工装置などの塗布装置に取り付けられるドクター刃の支持構造に関する。
【背景技術】
【０００２】
一般に、この種の塗布装置では、走行する幅広なウエブ等のシートに、回転する横長なグラビアロール等の版胴を圧接し、インキ等の塗液を版胴の周面に付着させ、その塗液をシートに転写して塗布が行われる。塗液の転写量を一定にするために、版胴の周面に付着した過剰な塗液を掻き取るドクター刃が、転写前の版胴の周面に圧接されている。
【０００３】
このようなドクター刃は、消耗品であるため、取り換えが容易なように、一対の挟持部材の間に挟み込んで支持するのが一般的である（特許文献１〜３）。
【０００４】
例えば、特許文献１には、上部挟持板５と下部挟持板６とでドクター刃１を挟持するドクターホルダー２が開示されている。ドクター刃１の挟持圧をその長手方向で均一にするために、下部挟持板６を、ドクター刃１と同等の長さの１枚で構成し、上部挟持板５を、三等分した３枚で構成している。
【０００５】
また、特許文献２には、上面が開放されたインキパンの上に、ドクター１３でインキを掻き落とす開放チャンバー型のグラビア印刷機が開示されている。ドクター１３は、上下のブレードホルダー１０，１１の間に、ドクター１３を押さえ付けるインナーホルダー２１を介して挟持されている。ドクター１３の挟持圧をその短手方向で均一にするために、インナーホルダー２１は、上ブレードホルダー１０に磁石で吸着保持したり孔に遊嵌したネジで支持したりして、上ブレードホルダー１０に微移動可能に支持されている。
【０００６】
特許文献３には、密閉された液溜部４ａからグラビアロールに塗液を供給する密閉チャンバー型の印刷塗工装置が開示されている。ドクターブレード４１は、シールプレート４２と対称状に配置されていて、固定ブロック４０ｄでチャンバー本体４０に押し付けて固定されている。
【先行技術文献】
【特許文献】
【０００７】
【特許文献１】特開平１１−５８６７３号公報
【特許文献２】特開２００４−１４８７８６号公報
【特許文献３】特開２０１５−２３１６９７号公報
【発明の概要】
【発明が解決しようとする課題】
【０００８】
通常のドクター刃は、横長な版胴と同等の長さを有する、先端が鋭利な、薄い帯板形状をしている。特に近年は、ウエブ幅の拡大に伴って版胴も、１５００ｍｍ超等、長くなってきており、ドクター刃もより細く長くなってきている。
【０００９】
そのため、ドクター刃は、先端が切れ易いうえに細長く、長手方向に容易に撓む（ペラペラしている）ため、非常に扱い辛いものとなっている。また、ドクター刃は、良好な印刷品質を確保するためには、その全体をバランス良く支持しながら版胴に対して精度高く位置決めすることが必要である。そのため、ドクター刃の交換や調整は、高度な注意を要する負担の大きい作業となっている。
【００１０】
例えば、ドクター刃の調整作業では、ドクター刃を確りと固定した時に、その先端の全域が版胴に均等かつ適当に圧接する状態となるように、ドクター刃の長手方向の各所の挟持力を適度に緩めたり締めたりしながら、ドクター刃の配置を微調整しなければならない。
【００１１】
また、ドクター刃の交換作業では、特許文献３のような密閉チャンバー型の塗布装置の場合に、特に負担の大きい作業となっている。すなわち、特許文献２のような開放チャンバー型の塗布装置であれば、ドクター刃が塗液を溜めるチャンバー（インキパン）とは別に構成されていて、シールプレートが無いのが普通であるため、ドクター刃の配置に制約が無く、ドクター刃を上方から差し込める状態にして交換できる。この場合、いったんドクター刃を差し込んでしまえば、ドクター刃が抜け落ちることはない。
【００１２】
ところが、特許文献３のような密閉チャンバー型の塗布装置では、ドクター刃と同様に交換を要するシールプレートが有るうえに、塗液を溜めるチャンバーと一体に構成されている。そのため、通常は、ドクター刃とシールプレートの交換作業が同時にでき、チャンバーから塗液が液垂れしないように、液溜部が上向く状態にして、メンテナンス作業が行われている。
【００１３】
従って、この場合、ドクター刃は寝かした状態で横方向から差し込むことになるので、ドクター刃を略水平に支持しなければならず、簡単には差し込めない。差し込んでも、ドクター刃の先端側の部分は外に突出するので、差し込むと同時に、ある程度挟持しなければ、ドクター刃は容易に抜け落ちる。そのため、差し込み易くするために、差し込み口を広げることもできない。
【００１４】
そこで、本発明の目的は、ドクター刃の交換や調整の作業負担が軽減できるドクター刃の支持構造を提供することにある。
【課題を解決するための手段】
【００１５】
本発明は、回転するロールに鋭利な先端が接して当該ロールに付着した塗液を掻き取るドクター刃の支持構造に関する。
【００１６】
前記支持構造は、前記ロールに沿って延びるように配置されるホルダー受部と、前記ホルダー受部に取り付けられて、前記ドクター刃を当該ホルダー受部とで挟持するホルダーと、を備え、前記ホルダー及び前記ホルダー受部の少なくともいずれか一方の挟持面に、前記ドクター刃を吸着する仮止め部が設けられていることを特徴とする。
【００１７】
すなわち、この支持構造によれば、ドクター刃を挟持するホルダー及びホルダー受部の少なくともいずれか一方の挟持面に、ドクター刃を吸着する仮止め部が設けられているので、ドクター刃をホルダーとホルダー受部との間に差し込めば、ドクター刃を仮止め部で吸着して仮止めすること（ドクター刃が動かないように確りと固定する前に、ドクター刃を動かすことができる比較的緩やかな力でドクター刃を支持すること）ができる。
【００１８】
従って、ドクター刃の長手方向の各所の挟持力が無くても、ドクター刃を支持した状態で動かすことができるので、ドクター刃の調整作業が容易にできる。ドクター刃が抜け落ちないように支持する必要が無くなるため、交換作業が容易に行える。ホルダー受部とホルダーとの間の隙間（差し込み口）を大きく広げることができるので、ドクター刃を差し込み易くできる。
【００１９】
前記仮止め部は、前記ホルダー受部が延びる方向の複数カ所に、互いに離れて設けるのが好ましい。
【００２０】
そうすれば、長手方向の端から１つずつ仮止め部にドクター刃を吸着させながら、ドクター刃を仮止めできるので、作業性に優れる。
【００２１】
その場合、前記仮止め部の各々の吸着力は、１〜１０Ｎの範囲内に設定するのが好ましい。
【００２２】
そうすれば、ドクター刃を仮止めできる緩やかな吸着力が得られるので、作業性に優れる。
【００２３】
具体的には、前記仮止め部を磁石で構成し、当該磁石の磁力で前記ドクター刃が吸着されるようにするとよい。
【００２４】
そうすれば、簡易かつ安価な構造で仮止め部を実現できる。更に、磁石に永久磁石を用いれば、ランニングコストが不要な仮止め部を得ることができる。
【００２５】
また、前記仮止め部は、内部が減圧されるバキューム孔で構成し、当該バキューム孔の吸引力で前記ドクター刃が吸着されるようにしてもよい。
【００２６】
この場合も、仮止め部が実現できる。磁性体でないドクター刃が使用でき、作業中に仮止め部の吸引力の調整ができる利点がある。
【００２７】
特に、前記ドクター刃の基端に接して当該ドクター刃を支持位置に位置決めする位置決め部を、更に備え、前記仮止め部が、前記支持位置に位置した前記ドクター刃の基端部を吸着するように配置するのが好ましい。
【００２８】
そうすれば、ドクター刃を、力のモーメントにより効率よく支持できる。
【００２９】
例えば、前記ホルダー受部は、前記ロールに塗液を供給する密閉された液溜部を構成するチャンバー本体に設けることができる。
【００３０】
すなわち、このような支持構造を密閉チャンバー型の塗布装置に適用すれば、ドクター刃の交換作業での負担を軽減できるので、より効果的である。
【発明の効果】
【００３１】
本発明にかかるドクター刃の支持構造によれば、ドクター刃の交換や調整の作業負担が軽減できるので、塗布品質の向上や生産性の向上が図れる。
【図面の簡単な説明】
【００３２】
【図１】本発明にかかるドクター刃の支持構造を適用した塗布装置の一例を示す概略図である。
【図２】チャンバーを示す概略図である。チャンバーの一部を分解して示してある。
【図３】図２における矢印Ｘ−Ｘ線での概略断面図である。
【図４】チャンバーの要部構造を示す分解斜視図である。
【図５】交換時の様子を示す概略図である。
【図６】変形例を示す概略図である。
【発明を実施するための形態】
【００３３】
以下、本発明の実施形態を図面に基づいて詳細に説明する。ただし、以下の説明は、本質的に例示に過ぎず、本発明、その適用物あるいはその用途を制限するものではない。
【００３４】
図１に、本発明にかかるドクター刃の支持構造を適用した塗布装置１の一例を示す。この塗布装置１は、張力を作用させた状態で、一定の方向に搬送されているウエブＷの側面にグラビアロール３（版胴の一例）を押し当てて、インキ等の塗液をウエブＷに塗布するグラビアキス方式を採用した密閉チャンバー型の装置である。塗布装置１には、貯留槽２、グラビアロール３、チャンバー４などが備えられている。
【００３５】
貯留槽２には、塗液が貯留されており、貯留槽２に付設されたポンプ（図示せず）で塗液がチャンバー４に循環供給されるように構成されている。グラビアロール３は、その両端が軸支された細長い円柱状の部材であり、その周面には、ウエブＷに転写する塗液を付着させる多数の凹部が形成されている。印刷時のグラビアロール３は、ウエブＷの走行方向と逆向きに周面が接するように回転駆動される。
【００３６】
そのグラビアロール３の周面に塗液を供給するために、チャンバー４がグラビアロール３に併設されている。図２、図３にも示すように、チャンバー４は、チャンバー本体４０、サイドプレート４１、ドクター刃４２、シール刃４３、ホルダー４４などで構成されている。
【００３７】
チャンバー本体４０は、グラビアロール３の回転軸に沿って延びる細長い肉厚な平板状の部材からなり、その一方の側面（表側面）には、液溜部５０を構成する横長凹部４０ａがその長手方向に延びるように形成されている。この塗布装置１の横長凹部４０ａは、横断面がＷ形状に形成されているが、Ｕ形状等であってもよい。
【００３８】
チャンバー本体４０の他方の側面（裏側面）には、液導入口４０ｂや液導出口４０ｃが形成されている。液導入口４０ｂは、チャンバー本体４０の下部の中央の１箇所に形成されており、横長凹部４０ａの下部に連通している。液導出口４０ｃは、チャンバー本体４０の上部の両端部の２箇所に形成されており、横長凹部４０ａの上部に連通している。液導入口４０ｂは、貯留槽２と送液配管５で接続されており、各液導出口４０ｃは、貯留槽２と返液配管６で接続されている。
【００３９】
ドクター刃４２及びシール刃４３の各々は、ホルダー４４でチャンバー本体４０に固定され、先端４２ａ，４３ａ側が横長凹部４０ａに張り出すように、チャンバー本体４０の表側面の上下に対向状に配置されている（ドクター刃４２、シール刃４３、ホルダー４４等の詳細については別途後述）。サイドプレート４１は、左右一対からなり、図２に示すように、チャンバー本体４０の長手方向の両端に取り付けられている。
【００４０】
図１に示すように、印刷時のチャンバー４はグラビアロール３と一体化され、チャンバー４とグラビアロール３との間に、密閉された液溜部５０が形成されるようになっている。具体的には、チャンバー４が表側面からグラビアロール３に近接して、ドクター刃４２及びシール刃４３の各々の先端４２ａ，４３ａがグラビアロール３の周面に圧接されるとともに、両サイドプレート４１の側縁がグラビアロール３の周面に圧接される。そうすることにより、ドクター刃４２、シール刃４３、グラビアロール３の周面の一部、及び両サイドプレート４１，４１により、横長凹部４０ａの周囲が塞がれ、密閉された液溜部５０が構成される。
【００４１】
そして、印刷時には、貯留槽２から、送液配管５、液導入口４０ｂを経て液溜部５０に塗液が連続的に供給され、液溜部５０から溢れる塗液が液導出口４０ｃ、返液配管６を経て貯留槽２に戻るようになっている。そうして液溜部５０に循環供給される塗液が、回転するグラビアロール３の周面に接触する。回転するグラビアロール３の周面に接触した塗液が、ドクター刃４２の先端で掻き取られた後、走行するウエブＷに転写されることで塗布が行われる。
【００４２】
従って、ドクター刃４２は、ウエブＷに転写する塗液の量を決定する重要な役割を有しており、良好な印刷品質を確保するためには、ドクター刃４２の先端４２ａは、グラビアロール３の長手方向の全域にわたって均等に圧接させることが求められる。更に、ドクター刃４２は消耗するため、良好な印刷品質を安定して確保するためには、ドクター刃４２の微調整を頻度高く行う必要があり、定期的に交換する必要もある。ドクター刃４２ほどではないが、これらの点はシール刃４３も同様である。
【００４３】
そのため、ドクター刃４２やシール刃４３は、取り換えが容易にできるように、ホルダー受部４５とホルダー４４とで挟持するように構成されている（ドクター刃４２等の支持構造）。
【００４４】
（ドクター刃４２、シール刃４３）
ドクター刃４２は、グラビアロール３と同等の長さを有する細長く薄い帯板形状の部材である。ドクター刃４２の長手方向の一方の側縁が、鋭利な先端４２ａとなっており、ドクター刃４２の長手方向の他方の側縁が、先端と平行な端面で構成された基端となっている。本実施形態のドクター刃４２は、鋼板等の磁性体から形成されており、磁石で吸着可能となっている。
【００４５】
この塗布装置１では、シール刃４３は、ドクター刃４２と共用できるように、ドクター刃４２と同じものが用いられている。なお、シール刃４３は、グラビアロール３の周面との間から塗液が漏れないようにシールできればよく、ドクター刃４２のような精度は求められないため、ドクター刃４２とは別の素材や形状で構成してあってもよい。
【００４６】
（ホルダー受部４５）
ドクター刃４２のホルダー受部４５は、横長凹部４０ａの上側に沿って延びるようにチャンバー本体４０に設けられていて、帯状の平坦な第１挟持面４５ａを有している。ホルダー受部４５は、印刷時には、第１挟持面４５ａが所定の角度で傾斜した状態で、グラビアロール３の回転軸と平行に配置される。シール刃４３のホルダー受部４５は、ドクター刃４２のホルダー受部４５と平行に、横長凹部４０ａの下側に沿って延びるように設けられていて、ドクター刃４２のホルダー受部４５と同様に、傾斜した帯状の平坦な挟持面を有している。
【００４７】
なお、本実施形態の塗布装置１では、ホルダー受部４５やホルダー４４等の支持構造は、シール刃４３とドクター刃４２とで同じ構成となっている。そのため、シール刃４３の支持構造については、同じ構成に同じ符号を用いてその説明は省略する。
【００４８】
第１挟持面４５ａには、複数（本実施形態では１６個）の締結孔４５ｂが形成されている。これら締結孔４５ｂは、第１挟持面４５ａの長手方向に沿って、等間隔で直線状に配置されている。また、これら締結孔４５ｂは、第１挟持面４５ａの短手方向には、第１挟持面４５ａの中央から僅かに横長凹部４０ａから離れる側に偏って配置されている。
【００４９】
更に、第１挟持面４５ａには、複数（本実施形態では８個）の位置決めピン４５ｃ（位置決め部の一例）が形成されている。これら位置決めピン４５ｃは、第１挟持面４５ａから突出する円柱状のピンからなり、第１挟持面４５ａの長手方向に沿って、等間隔で直線状に配置されている。具体的には、端に位置する締結孔４５ｂとこれに隣接する締結孔４５ｂとの間の中央に１つの位置決めピン４５ｃが配置され、その他の位置決めピン４５ｃは、２つの締結孔４５ｂ，４５ｂを間に挟むように配置されている。
【００５０】
また、これら位置決めピン４５ｃは、第１挟持面４５ａの短手方向には、締結孔４５ｂよりも横長凹部４０ａの側に偏って配置されている。具体的には、図２に拡大して示すように、横長凹部４０ａの側で各締結孔４５ｂに接する接線Ｌ１を引いた場合に、位置決めピン４５ｃの外周面の少なくとも一部が、その接線Ｌ１よりも横長凹部４０ａの側に位置するように配置されている。
【００５１】
更に、第１挟持面４５ａには、複数（本実施形態では４個）の仮止め部６０が設けられている。本実施形態の仮止め部６０は、外径が８ｍｍ程度の円板状の永久磁石６１（ネオジム磁石）で構成されている。すなわち、第１挟持面４５ａに上面が露出するように、ホルダー受部４５に永久磁石６１が埋設されている。永久磁石６１の上面は、第１挟持面４５ａと同じ高さかそれ以下の高さに配置されている（第１挟持面４５ａから突出しない）。
【００５２】
仮止め部６０も、第１挟持面４５ａの長手方向に沿って、等間隔で配置されている。具体的には、端に位置する２つの締結孔４５ｂ，４５ｂとこれらに隣接する締結孔４５ｂとの間の中央に、１つの仮止め部６０が配置され、その他の仮止め部６０は、４つの締結孔４５ｂ，４５ｂ，４５ｂ，４５ｂを間に挟むように配置されている。
【００５３】
また、これら仮止め部６０は、第１挟持面４５ａの短手方向には、締結孔４５ｂよりも横長凹部４０ａの側に偏って配置されるとともに、横長凹部４０ａから離れた位置に偏って配置されている。具体的には、図２に拡大して示すように、第１挟持面４５ａにおける、横長凹部４０ａの側で各位置決めピン４５ｃに接する接線Ｌ２と、横長凹部４０ａの上側の縁との間の領域（ドクター刃４２の支持領域）のうち、接線Ｌ２の側に偏った位置に、各仮止め部６０が配置されている。
【００５４】
（ホルダー４４）
ホルダー４４は、細長い角柱状の部材からなり、その下面には、第１挟持面４５ａと略同一の寸法形状からなる第２挟持面４４ａが設けられている。ホルダー４４には、その上下の面を貫通する複数（本実施形態では１６個）の挿通孔４４ｂが形成されている。これら挿通孔４４ｂは、締結孔４５ｂの対応した位置に配置されており、第１挟持面４５ａと第２挟持面４４ａとを重ね合わせた場合に、各締結孔４５ｂの中心と各挿通孔４４ｂの中心とが重なり合うようになっている。各挿通孔４４ｂは、固定ボルト７０の頭部を受け入れる大径部と、固定ボルト７０の軸部のみを受け入れる小径部とで構成されている。
【００５５】
また、ホルダー４４には、各位置決めピン４５ｃに対応した複数箇所に、ピン孔４４ｃが形成されている。第１挟持面４５ａと第２挟持面４４ａとを重ね合わせた場合に、これらピン孔４４ｃに各位置決めピン４５ｃが入り込んで、第１挟持面４５ａと第２挟持面４４ａとが密着し得るようになっている。
【００５６】
図４にも示すように、各挿通孔４４ｂを通じて各締結孔４５ｂに固定ボルト７０を締結することで、ホルダー４４は、ホルダー受部４５に取り外し可能に取り付けられている。そして、ドクター刃４２は、これらホルダー４４とホルダー受部４５との間の横長凹部４０ａの側の隙間に、その基端側を挟み込み、締結することによって挟持されるようになっている。
【００５７】
ホルダー４４とホルダー受部４５との間の隙間にドクター刃４２を差し込むと、ドクター刃４２の基端は、位置決めピン４５ｃに突き当たる。各位置決めピン４５ｃにドクター刃４２の基端が接することで、ドクター刃４２は、適切な支持位置に位置決めされる。
【００５８】
具体的には、この塗布装置１の場合、ドクター刃４２及びシール刃４３の交換時には、グラビアロール３からチャンバー４が離されて、図５に示すように、表側面が上向くように、チャンバー４が配置される。そうして、ホルダー４４が浮き上がるように各固定ボルト７０を緩めることで、第１挟持面４５ａと第２挟持面４４ａとの間に、各刃４２，４３の厚み以上の隙間が生じ得るようにすれば、既使用のドクター刃４２やシール刃４３は、取り外すことができる。
【００５９】
そして、未使用のドクター刃４２やシール刃４３を取り付ける場合、従来であれば、容易に撓むドクター刃４２を、基端側からその僅かな隙間に差し込み、通常は複数人で、抜け落ちないように鋭利な先端４２ａ，４３ａ側を支持しながら、各固定ボルト７０を締め付ける必要があった。従って、ドクター刃４２の交換作業は、高度な注意を要する負担の大きい作業となっていた。
【００６０】
それに対し、この支持構造によれば、ホルダー受部４５に、永久磁石６１の磁力でドクター刃４２を吸着する仮止め部６０が設けられている。従って、いったんホルダー４４とホルダー受部４５との間の隙間にドクター刃４２を奥方まで差し込み、ドクター刃４２の基端部と仮止め部６０とが重なる状態になると、ドクター刃４２は、仮止め部６０に吸着されてホルダー受部４５に支持される。
【００６１】
長手方向の端に位置する仮止め部６０から順に１つずつドクター刃４２を吸着させながら、ドクター刃４２を仮止めできるので、作業性に優れる。各仮止め部６０でドクター刃４２が支持されると、ドクター刃４２は、ホルダー４４が無くても、抜け落ちることなく、ホルダー受部４５のみで支持できるようになっている。
【００６２】
すなわち、各仮止め部６０は、ドクター刃４２を仮止めできる緩やかな吸着力が得られるように、１〜１０Ｎの範囲内に設定されている。１Ｎより弱いと、ドクター刃４２をホルダー受部４５のみで支持できないおそれがある。一方、１０Ｎより強いと、吸着力が強すぎてドクター刃４２が動かし辛くなり、操作性が損なわれるおそれがある。１〜１０Ｎの範囲内であれば、ドクター刃４２を第１挟持面４５ａに支持したまま、比較的弱い力でドクター刃４２を摺り動かすことができる。
【００６３】
従って、ドクター刃４２を各仮止め部６０に仮止めすれば、後は、ドクター刃４２を支持する必要が無くなるため、交換作業が容易に行える。仮止め部６０の緩やかな吸着力に抗して、ドクター刃４２を押し込み、各位置決めピン４５ｃにドクター刃４２の基端を接触させるだけで、ドクター刃４２を所定の支持位置に簡単に位置決めできる。
【００６４】
各固定ボルト７０の締結も、ドクター刃４２の支持とは無関係に行える。ホルダー受部４５とホルダー４４との間の隙間を大きくできるので、ドクター刃４２を差し込み易くできる。ホルダー４４が無くてもドクター刃４２を支持できるので、ホルダー４４を後付けすることも可能である。従って、ドクター刃４２の交換作業の負担が大幅に軽減できる。
【００６５】
しかも、各仮止め部６０は、支持位置に位置したドクター刃４２の基端部を吸着するように、ドクター刃４２の支持領域の奥方に配置されているので、先端側が横長凹部４０ａに突出するドクター刃４２を、力のモーメントにより効率よく支持できる。
【００６６】
更に、ドクター刃４２は、所定の支持位置に配置してあっても、製造上のばらつきや、使用による摩耗により、支持位置の微調整が必要である。微調整は、図１に示したように、ドクター刃４２の先端がグラビアロール３の周面に接した状態で行われる。従来であれば、固定ボルト７０の締結力でドクター刃４２が支持されているので、ドクター刃４２の支持位置を調整するには、ドクター刃４２が抜け落ちない微妙な締め付け状態となるように、各固定ボルト７０の締め付けを緩めたり締め付けたりする必要がある。
【００６７】
それに対し、この支持構造によれば、ドクター刃４２が仮止めされているので、ドクター刃４２の抜け落ちを考慮せずにドクター刃４２の支持位置の微調整が行える。従って、ドクター刃４２の調整作業の負担も大幅に軽減できる。
【００６８】
＜変形例＞
図６に、前述した支持構造の変形例を示す。前述した支持構造では、磁石で仮止め部６０を構成した例を示したが、この変形例では、空圧制御により、仮止め部６０の吸着力が得られるようにしている。
【００６９】
具体的には、仮止め部６０が、内部が減圧されるバキューム孔６５で構成されており、バキューム孔６５の吸引力でドクター刃４２が吸着されるようになっている。すなわち、本変形例の第１挟持面４５ａの各仮止め部６０の位置には、永久磁石６１に代えて、吸引口６５ａが形成されている。これら吸引口６５ａは、チャンバー本体４０に形成されたバキューム孔６５を通じて、減圧ポンプ等で構成された減圧装置６６に接続されている。
【００７０】
ドクター刃４２やシール刃４３の交換時や調整時には、減圧装置６６が作動され、各バキューム孔６５の内部が、所定の圧力まで減圧されるようになっている。従って、ドクター刃４２が、ホルダー受部４５とホルダー４４との間に差し込まれ、ドクター刃４２の基端部と吸引口６５ａとが重なる状態になると、ドクター刃４２は、吸引口６５ａに吸着されてホルダー受部４５に支持される。
【００７１】
本変形例の場合、磁性体でないドクター刃４２が使用でき、作業中に仮止め部６０の吸引力の調整ができる利点がある。
【００７２】
その他、本発明にかかるドクター刃の支持構造は、上述した実施形態に限定されず、それ以外の種々の構成をも包含する。
【００７３】
例えば、上述した実施形態では、密閉チャンバー型の塗布装置に適用した場合を例示したが、開放チャンバー型の塗布装置にも適用できる。
【００７４】
磁石の仮止め部６０で仮止めする場合には、少なくとも、仮止め部６０と対向するドクター刃４２の部分が磁石で吸着されればよいため、必ずしもドクター刃４２の全体が磁性体で無くてもよい。ドクター刃４２の外面の必要な部分に磁性体のシートを貼り付けてもよいし、磁性体の層を積層してもよい。
【００７５】
仮止め部６０の磁石は、電磁石であってもよい。また、仮止め部６０の磁石は、表面積の大きなシート状であってもよい。
【００７６】
少なくとも、ホルダー４４とホルダー受部４５との間の隙間に仮止めできればよいため、仮止め部６０は、ホルダー４４にのみ設けてもよいし、ホルダー４４とホルダー受部４５の双方に設けてもよい。
【符号の説明】
【００７７】
１  塗布装置
３  グラビアロール
４  チャンバー
４２  ドクター刃
４２ａ  先端
４３  シール刃
４４  ホルダー
４４ａ  第２挟持面
４５  ホルダー受部
４５ａ  第１挟持面
５０  液溜部
６０  仮止め部
６１  永久磁石
７０  固定ボルト
Ｗ  ウエブ
【図１】
2018111230.tif 000003
【図２】
2018111230.tif 000004
【図３】
2018111230.tif 000005
【図４】
2018111230.tif 000006
【図５】
2018111230.tif 000007
【図６】
2018111230.tif 000008